(57)【要約】【課題】左右両端を引っ張るように引き剥がすことで易展開性が可能になる紙製容トレー状容器の製函方法を提供すること。【解決手段】マガジン１から１枚ずつ取り出し雌型上部にセットし長手方向のフランジの左右端のフランジ舌片１５１  を立ち上げ、雄型３を雌型に押し込み升型に仮成形され一対のバッケト２に挿入されトレー状に仮成形する第１ステーション、短手方向のフランジを外方に折り込む第２ステーション、長手方向のフランジを外方に折り込み短手方向のフランジに連設されているフランジ重合片とフランジ延長片１７を仮折りする第３ステーション、仮折りされたコーナーフラップの側面板寄りと側面板の間を仮接着させ、その上にフランジ重合片とフランジ偏重片１７を重ねて仮接着させトレー状容器に成形する第４  ステーション、上記工程をこの順序で行う。【選択図】図２
2004351835.tif 000002
【特許請求の範囲】
【請求項１】
矩形の底面板の長手方向の相対向する二片には、それぞれ折り曲げ線を介して側面板とフランジが順次連設され、前記フランジの左右端はそれぞれ折り曲げ線を介して横方向に延びてフランジと略同幅のフランジ舌片が形成され、
矩形の底面板の短手方向の相対向する二片には、それぞれ折り曲げ線を介して側面板とフランジが順次連設され、フランジの左右端は横方向に延びてフランジと略同幅のフランジ舌片が形成されると共に、該フランジの端縁にはそれぞれ折り曲げ線を介してフランジより短く、フランジと略同幅のフランジ重合片とフランジ延長片が順次連設され、
各側面板と側面板の間には、隣接する側面板同士を互いに連設するコーナーフラッップが設けられ、該コーナーフラップには、側面板の各隅部を起点にして斜め外方に向けて各コーナーフラップを略二等分する折り曲げ線が設けられた、ブランクを、
マガジンから一枚ずつ取り出し雌型上部にセットすると同時に長手方向のフランジの左右端のフランジ舌片を折り曲げ線より仮折りして立ち上げ、雄型を雌型にブランクを介して押し込み、２つ折りされたコーナーフラップは先端同士が相対向するように折り曲げられて短手方向の側面板寄りに仮折りされ、升型に仮成形され、該升型に仮成形されたブランクは、長手方向の側面板全体とそれに連設する底面板の一部と、短手方向の側面板の一部を覆う一対のバケットに挿入されてブランクをトレー状に仮成形する第１ステーション、
バケットに挿入されて仮成形されたブランクの短手方向のフランジを外方に折り込む第２ステーション、
ついで長手方向のフランジを外方に折り込むとともに、短手方向のフランジの端縁に連設されているフランジ重合片とフランジ延長片を仮折りする第３ステーション、
仮折りされたコーナーフラップの側面板寄りと側面板の間を仮接着させるとともに、その上にフランジ重合片とフランジ延長片を重ねて仮接着させてトレー状容器に成形する第４ステーション、
上記各工程をこの順序で行うことを特徴とする、紙製トレー状容器の製函方法。
【請求項２】
請求項１記載の製函方法により作製した紙製トレー状容器。
【発明の詳細な説明】
【０００１】
【発明の属する技術分野】
本発明は、紙製トレー状容器の製函方法に関するものであり、特には、一度組み立てたトレー状容器を簡単に展開することが可能な易展開性の紙製トレー状容器の製函方法に関するものである。
【０００２】
【従来の技術】
従来、上面が開口し、底面より上面の方が大きい面積を有するフランジが具備された紙製トレーとしては、例えば、図５（ａ）、（ｂ）、（ｃ）に示すような形状のものが流通している。
【０００３】
この形状のものは、トレー形状に折り込む際には、先ず、コーナーフラップのついている側面板（５１、５１）を折り込み、その後、他方の側面板（５２、５２）を折り込むため、フランジ４隅の重なりは長手方向のフランジ舌片（５３１）が短手方向のフランジ舌片（５４１）の上に重なる形を取る。
【０００４】
また、第１工程でコーナーフラップ（５５）内部のシール、フランジ（５３、５４）のシール、フランジ舌片（５３１、５４１）のシール、及びトレー形状へ折り込み、第２工程でフランジ（５５）の折り込みとシール（５５、５１）をそれそれ行っている。このため１工程目でトレー形状にシールされるため、成形された形状を維持させるバケットがなく、トレー自体を搬送させて次工程に移動させている。
従って、一工程で折り込みとシールのできない紙製トレーは難しい。
４隅のコーナーフラップは強固に側面板に接着していて易展開性はない。
【０００５】
【発明が解決しようとする課題】
本発明は、側面板の先端縁にフランジを有し、上面が開口し底面より上面の方が大きな面積となる紙製トレー状容器の製函方法に関する以上のような問題点を解決するためになされたもので、左右両端を引っ張るように引き剥がすことにより易展開性が可能となる紙製トレー状容器の製函方法と該製函方法により作製した易展開性を有する紙製トレー状容器を提供することを課題とする。
【０００６】
【課題を解決するための手段】
本発明の請求項１の発明は、矩形の底面板の長手方向の相対向する二片には、それぞれ折り曲げ線を介して側面板とフランジが順次連設され、前記フランジの左右端はそれぞれ折り曲げ線を介して横方向に延びてフランジと略同幅のフランジ舌片が形成され、矩形の底面板の短手方向の相対向する二片には、それぞれ折り曲げ線を介して側面板とフランジが順次連設され、フランジの左右端は横方向に延びてフランジと略同幅のフランジ舌片が形成されると共に、該フランジの端縁にはそれぞれ折り曲げ線を介してフランジより短く、フランジと略同幅のフランジ重合片とフランジ延長片が順次連設され、各側面板と側面板の間には、隣接する側面板同士を互いに連設するコーナーフラッップが設けられ、該コーナーフラップには、側面板の各隅部を起点にして斜め外方に向けて各コーナーフラップを略二等分する折り曲げ線が設けられた、ブランクを、マガジンから一枚ずつ取り出し雌型上部にセットすると同時に長手方向のフランジの左右端のフランジ舌片を折り曲げ線より仮折りして立ち上げ、雄型を雌型にブランクを介して押し込み、２つ折りされたコーナーフラップは先端同士が相対向するように折り曲げられて短手方向の側面板寄りに仮折りされ、升型に仮成形され、該升型に仮成形されたブランクは、長手方向の側面板全体とそれに連設する底面板の一部と、短手方向の側面板の一部を覆う一対のバケットに挿入されてブランクをトレー状に仮成形する第１ステーション、バケットに挿入されて仮成形されたブランクの短手方向のフランジを外方に折り込む第２ステーション、ついで長手方向のフランジを外方に折り込むとともに、短手方向のフランジの端縁に連設されているフランジ重合片とフランジ延長片を仮折りする第３ステーション、仮折りされたコーナーフラップの側面板寄りと側面板の間を仮接着させるとともに、その上にフランジ重合片とフランジ延長片を重ねて仮接着させてトレー状容器に成形する第４ステーション、上記工程をこの順序で行うことを特徴とする、紙製トレー状容器の製函方法である。
【０００７】
このように請求項１記載の発明によれば、ブランクを、マガジンから一枚ずつ取り出し雌型上部にセットすると同時に長手方向のフランジの左右端のフランジ舌片を折り曲げ線より仮折りして立ち上げ、雄型を雌型にブランクを介して押し込み、２つ折りされたコーナーフラップは先端同士が相対向するように折り曲げられて短手方向の側面板寄りに仮折りされ、升型に仮成形され、該升型に仮成形されたブランクは、長手方向の側面板全体とそれに連設する底面板の一部と、短手方向の側面板の一部を覆う一対のバケットに挿入されてブランクをトレー状に仮成形する第１ステーション、バケットに挿入されて仮成形されたブランクの短手方向のフランジを外方に折り込む第２ステーション、ついで長手方向のフランジを外方に折り込むとともに、短手方向のフランジの端縁に連設されているフランジ重合片とフランジ延長片を仮折りする第３ステーション、仮折りされたコーナーフラップの側面板寄りと側面板の間を仮接着させるとともに、その上にフランジ重合片とフランジ延長片を重ねて仮接着させてトレー状容器に成形する第４ステーション、上記工程をこの順序で行う製函方法を採用しているので、無理なくスムーズに製函することができる。
【０００８】
また、フランジ延長片が最外側に接着している構造のため、フランジ延長片を引っ張るのみで短手方向の側面板から剥がれてトレー状容器が容易に展開できる。
【０００９】
また、請求項２の発明は、請求項１記載の製函方法により作製した紙製トレー状容器である。
【００１０】
【発明の実施の形態】
本発明の紙製トレー状容器の製函方法を一実施形態に基づいて以下に詳細に説明する。
先ず、本発明で使用するブランクの一実施例を図１に基づいて説明する。
【００１１】
矩形の底面板（１１）の長手方向の相対向する二片には、それぞれ折り曲げ線（ａ）を介して側面板（１４）とフランジ（１５）が順次連設されている。
そして、フランジ（１５）の左右端はそれぞれ折り曲げ線を介して横方向に延びてフランジと略同幅のフランジ舌片（１５１、１５１）が形成されている。
【００１２】
矩形の底面板（１１）の短手方向の相対向する二片には、それぞれ折り曲げ線（ａ）を介して側面板（１２）とフランジ（１３）が順次連設されている。
フランジ（１３）の左右端は横方向に延びてフランジと略同幅のフランジ舌片（１３１、１３１）が形成されると共に、該フランジの端縁にはそれぞれ折り曲げ線を介してフランジより短く、フランジと略同幅のフランジ重合片（１８）とフランジ延長片（１７）が順次連設されている。
【００１３】
側面板と側面板の間には、隣接する側面板（１２）と側面板（１４）とを互いに連設するコーナーフラッップ（１６）が設けられ、この各コーナーフラップ（１６）には、側面板の各隅部を起点にして斜め外方に向けて各コーナーフラップを略二等分する折り曲げ線（ｂ）が設けられている。
【００１４】
つぎに、製函方法につき、図２、図３、図４に基づいて説明する。
このような形状のブランク（１０）を、マガジン（１）から一枚ずつフィーダで取り出し、雌型（図示せず）の上にセットすると同時に上側に来る長手方向のフランジ（１５）のフランジ舌片（１５１）を４か所とも上方に折り曲げ、仮折りする（図２（ａ）参照）。
これは折り込み時の干渉および重なり順序をつけるためである。
その後フランジの折り込みとともに仮折りしたフランジ舌片を元に戻す。
【００１５】
雄型（図示せず）をブランク（１０）を介して雌型（図示せず）に押し込み、ブランクの型付けを行う。すなわち、短手方向の側面板（１２、１２）と長手方向の側面板（１４、１４）を折り曲げ線を介して折り曲げるとともに、隣接する側面板同士を連設するコーナーフラップ（１６）を折り曲げ線（ｂ）を介して２つに山折りし、隣接する一対のコーナーフラップの先端（１６１）同士が対向するように短手方向の側面板（１２、１２）側に折り曲げ、マス形状に型付けを行う。このとき、短手方向のフランジ舌片（１３１、１３１）は長手方向のフランジ舌片（１５１、１５１）の上に重なる（図２（ｂ）参照）。
【００１６】
マス形状に型付けされたブランクを、図３に示すような長手方向の側面板（１４、１４）全体とそれに連設する底面板の一部と、短手方向の側面板（１２、１２）の一部分を覆う一対のバケット（２、２）に挿入する。
さらに下側から吸引することにより型付けしたトレーの浮き上がりを防止するとともに４隅のコーナーフラップ（１６）の開きを防止する（図２（ｃ）参照）。（以上が第１ステーション）
【００１７】
短手方向の側面板（１２、１２）に連設されているフランジ（１３、１３）を外方に折り込む（図２（ｄ）参照）。（第２ステーション）
【００１８】
ついで、長手方向の側面板（１４、１４）に連設されているフランジ（１５、１５）を外方に折り込むとともに、短手方向のフランジに連設されているフランジ重合片（１８、１８）とフランジ延長片（１７、１７）を仮折りする（図２（ｅ）参照）。（第３ステーション）
【００１９】
バケットに挿入されてトレー状に仮折りされた容器の短手方向の側面板（１２、１２）とフランジ延長片（１７、１７）の間にホットメルト接着剤を塗布して（図２（ｆ）参照）、仮折りされた容器内に雄型（３）を挿入してフランジ延長片（１７、１７）と短手方向の側面板（１２、１２）とを圧着し接着させる（図２（ｇ）参照）。（第４ステーション）
ホットメルト接着剤のトレーへの塗布は一般的には第３ステーションから第４ステーションへの移動時に行われる。
【００２０】
最後に一対のバケット（２、２）を取り外すと成形された紙製トレー状容器（２０）が排出される（図２（ｈ）参照）。
このような工程を経ることにより、紙製トレー状容器（２０）が成形される。また、このような構造を有しているため、紙製トレー状容器（２０）の一対のフランジ延長片（１７、１７）を持って外方に引き剥がすだけで容器は容易に平面状態に展開できる。
【００２１】
【発明の効果】
上記のように、本発明の紙製トレー状容器の製函方法を用いて製函することにより、易展開性紙製トレー状容器の製函が可能になる。
また、フィーダ形状の変更のみで、フランジの重なり部分の上下を選択可能になる。
安定した形状で紙製トレー状容器の製函が可能になる。
さらに高速製函が可能になる。
【図面の簡単な説明】
【図１】本発明で使用するブランクの一実施例を示す、平面説明図である。
【図２】本発明の製函方法の作業工程の一実施例を示す、工程説明図である。
【図３】製函時に使用するバケットの一実施例を示す、斜視説明図である。
【図４】バケットにトレー状容器が挿入された状態を示す、斜視説明図である。
【図５】（ａ）〜（ｃ）は従来の紙製トレー状容器の製函手順を示す、斜視説明図である。
【符号の説明】
１‥‥マガジン
２‥‥バケット
３‥‥雄型
１０‥‥ブランク
１１‥‥底面板
１２‥‥側面板
１３‥‥フランジ
１３１‥‥フランジ舌片
１４‥‥側面板
１５‥‥フランジ
１５１‥‥フランジ舌片
１６‥‥コーナーフラップ
１７‥‥フランジ延長片
１８‥‥フランジ重合片
２０‥‥紙製トレー状容器
ｂ‥‥折り曲げ線
５１‥‥コーナーフラップのついている側面板
５２‥‥他方の側面板
５３‥‥長手方向のフランジ
５３１‥‥長手方向のフランジ舌片
５４‥‥短手方向のフランジ
５４１‥‥短手方向のフランジ舌片
５５‥‥コーナーフラップ
【図１】
2004351835.tif 000003
【図２】
2004351835.tif 000004
【図３】
2004351835.tif 000005
【図４】
2004351835.tif 000006
【図５】
2004351835.tif 000007